(57)【要約】【課題】脱臭装置のフィルタの自動清掃後に、脱臭装置の吸引ファンが水を吸引しないようにすることを目的とする。【解決手段】便器のボウルの内部と外部とを連通すると共に前記ボウル内の空気を吸引可能な吸引口を有する脱臭風路と、前記脱臭風路内に設けられて、前記ボウル内の臭気を吸引する吸引ファンと、前記脱臭風路内において前記吸引ファンよりも前記ボウル側に設けられたフィルタと、を有する脱臭装置と、前記フィルタに向けて水を噴射する水供給部と、前記フィルタに付着した水を除去する水分除去装置と、前記水供給部を制御することにより水を噴射させて前記フィルタを前記水で洗浄した後、前記水分除去装置を制御することにより前記フィルタに付着した水を除去させる制御部と、を備えたことを特徴とするトイレ装置が提供される。【選択図】図２
2011006970.tif 000002
【特許請求の範囲】
【請求項１】
便器のボウルの内部と外部とを連通すると共に前記ボウル内の空気を吸引可能な吸引口を有する脱臭風路と、
前記脱臭風路内に設けられて、前記ボウル内の臭気を吸引する吸引ファンと、
前記脱臭風路内において前記吸引ファンよりも前記ボウル側に設けられたフィルタと、
を有する脱臭装置と、
前記フィルタに向けて水を噴射する水供給部と、
前記フィルタに付着した水を除去する水分除去装置と、
前記水供給部を制御することにより水を噴射させて前記フィルタを前記水で洗浄した後、前記水分除去装置を制御することにより前記フィルタに付着した水を除去させる制御部と、
を備えたことを特徴とするトイレ装置。
【請求項２】
前記水分除去装置は、ヒータおよび送風ファンを有すると共に人体局部に向けて温風を噴出可能な温風噴出口を有する局部乾燥装置であることを特徴とする請求項１記載のトイレ装置。
【請求項３】
前記ボウルの上方に設けられ、前記温風噴出口と前記吸引口とを互いに連通させる空間と、
前記温風噴出口を開閉可能なダンパと、
を有するケーシングをさらに備え、
前記制御部は、前記フィルタに付着した水を除去する際には、前記ダンパを閉じた状態に維持することを特徴とする請求項２記載のトイレ装置。
【請求項４】
前記制御部は、前記フィルタに付着した水を除去する際には、前記ヒータを動作させずに前記送風ファンを駆動させることを特徴とする請求項２または３に記載のトイレ装置。
【請求項５】
前記水分除去装置は、前記フィルタの近傍に設けられ、前記フィルタを加熱可能な加熱部であることを特徴とする請求項１記載のトイレ装置。
【請求項６】
前記水分除去装置は、前記フィルタに振動を与えることができる振動装置であることを特徴とする請求項１記載のトイレ装置。
【請求項７】
便器のボウルの内部と外部とを連通すると共に前記ボウル内の空気を吸引可能な吸引口を有する脱臭風路と、
前記脱臭風路内に設けられて、前記ボウル内の臭気を吸引する吸引ファンと、
前記脱臭風路内において前記吸引ファンよりも前記ボウル側に設けられたフィルタと、
を有する脱臭装置と、
前記フィルタに向けて水を噴射する水供給部と、
前記水供給部を制御することにより水を噴射させて前記フィルタを前記水で洗浄した後、脱臭動作時とは反対方向に前記吸引ファンを回転させ前記フィルタに向けて送風することにより前記フィルタに付着した水を除去させる制御部と、
を備えたことを特徴とするトイレ装置。
【請求項８】
前記制御部は、前記フィルタに付着した水を除去する際には、前記吸引ファンを制御することにより前記ボウル内の臭気を吸引することを禁止することを特徴とする請求項１〜７のいずれか１つに記載のトイレ装置。
【発明の詳細な説明】
【技術分野】
【０００１】
本発明の態様は、一般的に、トイレ装置に関し、具体的には脱臭機能を有するトイレ装置に関する。
【背景技術】
【０００２】
洋式腰掛便器のボウル内の臭気を含む空気を吸引し、その臭気を脱臭する脱臭装置を備えたトイレ装置がある。このような脱臭装置では、例えばフィルタを吸引口に設けることにより、吸引ファンがトイレットペーパーや衣類などを由来とした粉塵を吸い込まないようにしている。しかしながら、粉塵がフィルタに付着することにより、フィルタの目詰まりが発生すると、脱臭装置の吸引ファンは、空気を吸引できなくなったり、空気を吸引しにくくなったりするおそれがある。そうすると、脱臭装置の脱臭性能が低下するおそれがある。
【０００３】
これに対して、臭気吸引口付近に付着した粉塵等を洗浄水により洗い落とすことができる衛生洗浄装置（特許文献１）がある。また、リザーブタンクから発生する捨て水を利用して脱臭フィルタに付着した塵や異物を自動的に洗い流すことができる温水洗浄便座（特許文献２）がある。
【０００４】
しかしながら、特許文献１に記載された衛生洗浄装置や、特許文献２に記載された温水洗浄便座では、臭気吸引口付近や脱臭フィルタを水で洗浄した後に残った水分や水気が、吸引ファンに吸い込まれるおそれがある。そうすると、吸引ファンに設けられた回路基板やリード線などが腐食し、吸引ファンが動作しなくなるおそれがある。
【先行技術文献】
【特許文献】
【０００５】
【特許文献１】特開昭６３−２９３２４０号公報
【特許文献２】特開２００７−２６２８号公報
【発明の概要】
【発明が解決しようとする課題】
【０００６】
本発明は、かかる課題の認識に基づいてなされたものであり、脱臭装置のフィルタの自動清掃後に、脱臭装置の吸引ファンが水を吸引しないようにすることを目的とする。
【課題を解決するための手段】
【０００７】
第１の発明は、便器のボウルの内部と外部とを連通すると共に前記ボウル内の空気を吸引可能な吸引口を有する脱臭風路と、前記脱臭風路内に設けられて、前記ボウル内の臭気を吸引する吸引ファンと、前記脱臭風路内において前記吸引ファンよりも前記ボウル側に設けられたフィルタと、を有する脱臭装置と、前記フィルタに向けて水を噴射する水供給部と、前記フィルタに付着した水を除去する水分除去装置と、前記水供給部を制御することにより水を噴射させて前記フィルタを前記水で洗浄した後、前記水分除去装置を制御することにより前記フィルタに付着した水を除去させる制御部と、を備えたことを特徴とするトイレ装置である。
【０００８】
このトイレ装置によれば、制御部は、水供給部を制御することにより水を噴射してフィルタを水で洗浄した後、水分除去装置を制御することによりフィルタに付着した水を除去することができる。これによれば、フィルタに水を噴射することにより生ずる課題、より具体的にはフィルタに付着した水を吸引ファンが吸込むことによって吸引ファンに設けられた回路基板やリード線などが腐食し、吸引ファンが動作しなくなるおそれがあるという課題を解決することができる。そのため、脱臭装置のフィルタの自動清掃後に、脱臭装置の吸引ファンが水を吸引しないようにすることができ、フィルタ清掃時の水によって脱臭装置の吸引ファンが故障することはない。また、フィルタを取り外すことなく水洗いすることができるため、フィルタの手入れを簡素化させることができる。
【０００９】
また、第２の発明は、第１の発明において、前記水分除去装置は、ヒータおよび送風ファンを有すると共に人体局部に向けて温風を噴出可能な温風噴出口を有する局部乾燥装置であることを特徴とするトイレ装置である。
【００１０】
このトイレ装置によれば、水分除去装置は、ヒータおよび送風ファンを有し、人体局部に向けて温風を噴出可能な局部乾燥装置である。そのため、水分除去装置は、便座に座った使用者の「おしり」などに向けて温風を吹き付けて乾燥させる機能と、フィルタに付着した水を除去する機能と、を有する。これによれば、フィルタを乾燥させて水を除去する装置などを新たに設ける必要はない。したがって、トイレ装置が大型化することを抑制することができる。
【００１１】
また、第３の発明は、第２の発明において、前記ボウルの上方に設けられ、前記温風噴出口と前記吸引口とを互いに連通させる空間と、前記温風噴出口を開閉可能なダンパと、を有するケーシングをさらに備え、前記制御部は、前記フィルタに付着した水を除去する際には、前記ダンパを閉じた状態に維持することを特徴とするトイレ装置である。
【００１２】
このトイレ装置によれば、制御部は、フィルタに付着した水を除去する際には、ダンパを閉じた状態に維持する。そのため、送風ファンから送られた空気は、ダンパが閉じた状態においてより効率的にフィルタに吹き付けられる。これにより、フィルタに付着した水をより効率的に除去することができる。これによれば、エネルギーロスを抑制することができるとともに、脱臭装置のフィルタの自動清掃後に、脱臭装置の吸引ファンが水を吸引しないようにすることができる。
【００１３】
また、第４の発明は、第２または第３の発明において、前記制御部は、前記フィルタに付着した水を除去する際には、前記ヒータを動作させずに前記送風ファンを駆動させることを特徴とするトイレ装置である。
【００１４】
このトイレ装置によれば、制御部は、フィルタに付着した水を除去する際には、ヒータを動作させずに送風ファンを駆動させるため、「冷風」をフィルタに吹き付けることができる。これにより、局部乾燥装置が「冷風」をフィルタに吹き付ける場合には、制御部は、ヒータを動作させる必要はないため、省エネルギー化を図ることができるとともに、フィルタに付着した水を除去することができる。
【００１５】
また、第５の発明は、第１の発明において、前記水分除去装置は、前記フィルタの近傍に設けられ、前記フィルタを加熱可能な加熱部であることを特徴とするトイレ装置である。
【００１６】
このトイレ装置によれば、水分除去装置は、フィルタの近傍に設けられ、フィルタを加熱可能な加熱部である。そのため、フィルタに付着した水をより短時間で効率的に除去することができる。そして、フィルタを洗浄した後に、トイレ装置を使用可能な状態により迅速に復帰させることができる。これによれば、エネルギーロスを抑制することができるとともに、脱臭装置のフィルタの自動清掃後に、脱臭装置の吸引ファンが水を吸引しないようにすることができる。
【００１７】
また、第６の発明は、第１の発明において、前記水分除去装置は、前記フィルタに振動を与えることができる振動装置であることを特徴とするトイレ装置である。
【００１８】
このトイレ装置によれば、水分除去装置は、フィルタに振動を与えることができる振動装置である。そして、この振動装置が、例えば局部洗浄装置のノズルユニットから吐水される水に脈動を与えることができる洗浄水脈動ユニットである場合には、ノズルユニットから吐水される水に脈動を与える機能と、フィルタに付着した水を除去する機能と、を有する。これによれば、フィルタを乾燥させて水を除去する装置などを新たに設ける必要はない。したがって、トイレ装置が大型化することを抑制することができる。
【００１９】
また、第７の発明は、便器のボウルの内部と外部とを連通すると共に前記ボウル内の空気を吸引可能な吸引口を有する脱臭風路と、前記脱臭風路内に設けられて、前記ボウル内の臭気を吸引する吸引ファンと、前記脱臭風路内において前記吸引ファンよりも前記ボウル側に設けられたフィルタと、を有する脱臭装置と、前記フィルタに向けて水を噴射する水供給部と、前記水供給部を制御することにより水を噴射させて前記フィルタを前記水で洗浄した後、脱臭動作時とは反対方向に前記吸引ファンを回転させ前記フィルタに向けて送風することにより前記フィルタに付着した水を除去させる制御部と、を備えたことを特徴とするトイレ装置である。
【００２０】
このトイレ装置によれば、制御部は、水供給部を制御することにより水を噴射してフィルタを水で洗浄した後、脱臭動作時とは反対方向に吸引ファンを回転させフィルタに向けて送風することによりフィルタに付着した水を除去することができる。これによれば、フィルタに水を噴射することにより生ずる課題、より具体的にはフィルタに付着した水を吸引ファンが吸込むことによって吸引ファンに設けられた回路基板やリード線などが腐食し、吸引ファンが動作しなくなるおそれがあるという課題を解決することができる。そのため、脱臭装置のフィルタの自動清掃後に、脱臭装置の吸引ファンが水を吸引しないようにすることができ、フィルタ清掃時の水によって脱臭装置の吸引ファンが故障することはない。また、フィルタを取り外すことなく水洗いすることができるため、フィルタの手入れを簡素化させることができる。また、本発明のトイレ装置は、脱臭動作時とは反対方向に吸引ファンを回転させることによりフィルタに付着した水を除去することができるため、フィルタを乾燥させる乾燥装置などの特別な装置を設ける必要はない。そのため、トイレ装置の構造や構成を簡略化させることができる。
【００２１】
また、第８の発明は、第１〜第７のいずれか１つの発明において、前記制御部は、前記フィルタに付着した水を除去する際には、前記吸引ファンを制御することにより前記ボウル内の臭気を吸引することを禁止することを特徴とするトイレ装置である。
【００２２】
このトイレ装置によれば、制御部は、フィルタに付着した水を除去する際には、吸引ファンを制御することによりボウル内の臭気を吸引することを禁止できる。そのため、フィルタに付着した水を除去しているにもかかわらず、その水が吸引ファンに吸い込まれることを抑制することができる。また、フィルタに付着した水を除去している際には、便座に使用者が着座しても、制御部が吸引ファンを制御することによりボウル内の臭気を吸引すること、すなわち自動脱臭を禁止できる。そのため、水が吸引ファンに吸い込まれることをより確実に抑制することができる。
【発明の効果】
【００２３】
本発明の態様によれば、脱臭装置のフィルタを水で洗浄した後にフィルタに付着した水を除去するので、脱臭装置のフィルタの自動清掃を行うことができ、さらに、フィルタ清掃時の水によって脱臭装置の吸引ファンが故障することのないトイレ装置が提供される。
【図面の簡単な説明】
【００２４】
【図１】本発明の実施の形態にかかるトイレ装置を表した斜視模式図である。
【図２】本実施形態のケーシングの内部構造を例示する平面模式図である。
【図３】本実施形態のケーシングの内部における要部構成を例示するブロック図である。
【図４】本実施形態のフィルタを洗浄しているときの状態を表す断面模式図である。
【図５】本実施形態の局部乾燥装置が温風を吹き出しているときの状態を表す断面模式図である。
【図６】本実施形態の水供給部の水路系の一例を例示するブロック図である。
【図７】本実施形態にかかるトイレ装置の動作の具体例を例示するタイミングチャートである。
【図８】本実施形態の変形例にかかるトイレ装置が備える脱臭装置を表す斜視模式図である。
【図９】本実施形態の他の変形例にかかるトイレ装置を表す斜視模式図である。
【図１０】本変形例にかかるトイレ装置を上方から眺めた平面模式図である。
【図１１】本変形例の防振機構を表す断面模式図である。
【発明を実施するための形態】
【００２５】
以下、本発明の実施の形態について図面を参照しつつ説明する。なお、各図面中、同様の構成要素には同一の符号を付して詳細な説明は適宜省略する。  
図１は、本発明の実施の形態にかかるトイレ装置を表した斜視模式図である。
【００２６】
本実施形態のトイレ装置は、洋式腰掛便器（以下、単に「便器」と称す）８００と、その後方上部に設けられたケーシング１００と、を備える。ケーシング１００の内部には、便器８００のボウル８０１内の空気を吸い込み、フィルタや触媒などを介して臭気成分を低減させる脱臭装置が内蔵されている。この脱臭装置については、後に詳述する。なお、本実施形態にかかるトイレ装置は、便座２００および便蓋３００をさらに備え、便座２００および便蓋３００は、ケーシング１００に対して開閉自在にそれぞれ軸支されている。
【００２７】
また、ケーシング１００の内部には、便座２００に座った使用者の「おしり」などの洗浄を実現する局部洗浄装置や、便座２００に座った使用者の「おしり」などに向けて温風を吹き付けて乾燥させる局部乾燥装置や、トイレ室内に温風を吹き出してトイレ室を暖房する室内暖房装置などが設けられていてもよい。但し、局部洗浄装置や局部乾燥装置や室内暖房装置などは、必ずしも設けなくてもよい。
【００２８】
図２は、本実施形態のケーシングの内部構造を例示する平面模式図である。  
また、図３は、本実施形態のケーシングの内部における要部構成を例示するブロック図である。  
なお、図２は、本実施形態にかかるトイレ装置を上方から眺めたときの平面模式図である。
【００２９】
本実施形態のケーシング１００の内部には、図２に表した矢印Ａ１のように、便器８００のボウル８０１内の臭気を吸引し脱臭する脱臭装置１１０が設けられている。脱臭装置１１０は、ボウル８０１の内部と外部とを連通する脱臭風路１１１ａ、１１１ｂと、ボウル８０１内の臭気を吸引する吸引ファン１１３と、トイレットペーパーや衣類などを由来とした粉塵が吸引ファン１１３へ吸引されることを抑制するフィルタ１１５と、吸引ファン１１３により吸引された空気から臭気成分を除去する脱臭触媒１１７と、を有する。吸引ファン１１３は、脱臭風路１１１ａ、１１１ｂの途中に設けられている。また、フィルタ１１５は、吸引ファン１１３よりもボウル８０１側に設けられている。
【００３０】
さらに、ケーシング１００の内部には、脱臭装置１１０のフィルタ１１５に向けて水を噴射する水供給部１２０が設けられている。水供給部１２０は、配水管１２１を有し、この配水管１２１を通してフィルタ１１５に水を噴射することができる。また、さらに、ケーシング１００の内部には、図２に表した矢印Ａ２のように、便座２００に座った使用者の「おしり」などに向けて温風を吹き付けて乾燥させる局部乾燥装置（水分除去装置）１３０が設けられている。局部乾燥装置１３０は、ボウル８０１内に向けて空気を送る送風ファン１３１と、送風ファン１３１から送られた空気をボウル８０１内に導く温風ダクト１３３と、温風ダクト１３３内に設けられたヒータ１３５と、を有する。
【００３１】
局部乾燥装置１３０は、ヒータ１３５の動作中において、送風ファン１３１から送風することによりボウル８０１内に温風を吹き出すことができる。一方、局部乾燥装置１３０は、ヒータ１３５が動作していないときには、送風ファン１３１から送風することによりボウル８０１内に冷風を吹き出すことができる。なお、本願明細書において、「冷風」とは、ヒータ１３５の動作中に送風される温風よりも低い温度の風をいうものとする。すなわち、「冷風」の範囲には、人が冷感を感ずる風だけではなく、人が冷感を感じなくともヒータ１３５の動作中に送風される温風よりも低い温度の風も含まれる。
【００３２】
なお、ケーシング１００の内部には、図２に表したように、便座２００に座った使用者の「おしり」などの洗浄を実現する局部洗浄装置１５０が設けられていてもよい。そして、図３に表したように、ケーシング１００の内部には制御部１８０が設けられ、この制御部１８０は、脱臭装置１１０と、水供給部１２０と、局部乾燥装置１３０と、局部洗浄装置１５０と、の動作を制御することができる。
【００３３】
図４は、本実施形態のフィルタを洗浄しているときの状態を表す断面模式図である。  
また、図５は、本実施形態の局部乾燥装置が温風を吹き出しているときの状態を表す断面模式図である。  
なお、図４および図５は、図２に表した切断面Ａ−Ａにおける断面模式図である。
【００３４】
ケーシング１００の底面には、図４および図５に表したように、ボウル８０１内の空気が脱臭装置１１０へ吸引される吸引口１０５が設けられている。そして、脱臭装置１１０のフィルタ１１５は、この吸引口１０５の部分に設置されている。但し、フィルタ１１５の設置位置は、これだけに限定されず、吸引口１０５よりも下流側、すなわち吸引口１０５よりも吸引ファン１１３側であってもよい。
【００３５】
また、ケーシング１００の前面には、図５に表したように、局部乾燥装置１３０の送風ファン１３１から送られた空気がボウル８０１内に噴出される温風噴出口１０３が設けられている。そして、この温風噴出口１０３の部分には、温風噴出口１０３を閉塞可能なダンパ１４０が設けられている。ダンパ１４０は、軸１４１においてケーシング１００に軸支され、例えばモータ１４３（図３参照）などを有する開閉駆動部から伝達される駆動力により軸１４１を中心として回動可能である。そのため、ダンパ１４０は、軸１４１を中心として回動することにより温風噴出口１０３を開閉できる。このとき、制御部１８０は、モータ１４３の動作を制御できる。
【００３６】
吸引口１０５の上方、言い換えれば温風噴出口１０３の後方には、吸引口１０５と温風噴出口１０３とを互いに連通させる空間１０１が設けられている。そして、この空間１０１を臨むようにして、配水管１２１が設置されている。
【００３７】
ここで、フィルタ１１５は、トイレットペーパーや衣類などを由来とした粉塵が吸引ファン１１３へ吸引されることを抑制できるが、その粉塵がフィルタ１１５に付着し堆積すると、フィルタ１１５の目詰まりが発生するおそれがある。また、ボウル８０１の表面において跳ねた小水や、使用者の用便により跳ねたボウル８０１内の封水がフィルタ１１５に付着すると、粉塵がフィルタ１１５に付着し堆積しやすくなり、フィルタ１１５の目詰まりが発生しやすくなる。フィルタ１１５の目詰まりが発生すると、脱臭装置１１０の吸引ファン１１３は、ボウル８０１内の空気を吸引できなくなったり、空気を吸引しにくくなったりするおそれがある。そうすると、脱臭装置１１０の脱臭性能が低下するおそれがある。
【００３８】
これに対して、本実施形態にかかるトイレ装置では、配水管１２１が空間１０１を臨むように設けられている。そして、水供給部１２０は、図４に表したように、配水管１２１により導水された水をフィルタ１１５に向けて噴射することができる。そのため、フィルタ１１５に付着し堆積した粉塵は、水供給部１２０から噴射された水によりボウル８０１内に流し落とされる。その結果、フィルタ１１５は、水供給部１２０から噴射された水により洗浄される。これによれば、粉塵がフィルタ１１５に付着し堆積することにより脱臭装置１１０の脱臭性能が低下するという課題を解決することができ、長期間にわたって脱臭性能を持続させることができる。
【００３９】
なお、本願明細書において「水」という場合には、冷水のみならず、加熱されたお湯も含むものとする。そして、水供給部１２０により噴射する水として加熱されたお湯を使用する場合には、フィルタ１１５を洗浄する際の洗浄力を向上させることができる。これにより、フィルタ１１５の洗浄時間を短縮することができ、水供給部１２０によるフィルタ１１５の洗浄動作を効率的に行うことができる。
【００４０】
ここで、ダンパ１４０が開いた状態において、水供給部１２０が空間１０１およびフィルタ１１５に向けて水を噴射すると、その水は、温風噴出口１０３を通してボウル８０１内に飛散するおそれがある。また、使用者が便座２００に着座しているときにおいて、ダンパ１４０が開いた状態でフィルタ１１５の洗浄が行われると、水供給部１２０から噴射された水やフィルタ１１５で跳ねた水が、温風噴出口１０３を通して使用者に向かって飛散するおそれがある。
【００４１】
これに対して、本実施形態のトイレ装置では、図４に表したように、水供給部１２０がフィルタ１１５に向けて水を噴射するときには、制御部１８０は、モータ１４３の動作を制御することによりダンパ１４０を閉じておく、すなわち、ダンパ１４０が閉じた状態を維持する。そのため、水供給部１２０から噴射された水やフィルタ１１５で跳ねた水は、温風噴出口１０３を通してボウル８０１内に飛散することを抑制される。これによれば、フィルタ１１５に水を噴射することにより生ずる課題を解決することができ、フィルタ１１５の自動清掃を行うことができる。
【００４２】
しかしながら、脱臭装置１１０のフィルタ１１５を水で洗浄した後にそのまま放置すると、そのフィルタ１１５に水分あるいは水気などの水（以下、単に「水」という）が残る場合がある。そして、フィルタ１１５に水が残った状態において、制御部１８０が吸引ファン１１３を駆動させると、フィルタ１１５に残った水が吸引ファン１１３に吸い込まれるおそれがある。そうすると、吸引ファン１１３に設けられた回路基板やリード線などが腐食し、吸引ファン１１３が動作しなくなるおそれがある。
【００４３】
これに対して、本実施形態にかかるトイレ装置では、制御部１８０は、水供給部１２０から水を噴射させてフィルタ１１５を洗浄した後あるいは水で洗浄した後に、局部乾燥装置１３０の送風ファン１３１を駆動させる。そうすると、送風ファン１３１から送られた空気は、図４に表した矢印のように、温風ダクト１３３を通してフィルタ１１５に吹き付けられる。このとき、制御部１８０は、モータ１４３の動作を制御することによりダンパ１４０を閉じておくことがより好ましい。これによれば、送風ファン１３１から送られた空気は、温風噴出口１０３を通してボウル８０１内に吹き出されることを抑制され、より効率的にフィルタ１１５に吹き付けられる。なお、ダンパ１４０を閉じておく手段は、制御部１８０がモータ１４３の動作を制御することだけに限定されるわけではなく、ダンパ１４０が開くことを抑制するストッパなどを有する図示しないダンパ開抑制機構であってもよい。あるいは、ダンパ１４０が開かない程度の風圧となるように送風ファン１３１を駆動させてもよい。
【００４４】
このようにして、制御部１８０は、送風ファン１３１を駆動させることにより、フィルタ１１５を乾燥させることができ、フィルタ１１５に付着した水を除去することができる。これによれば、フィルタ１１５に水を噴射することにより生ずる課題を解決することができ、脱臭装置１１０のフィルタ１１５の自動清掃後に、脱臭装置１１０の吸引ファン１１３が水を吸引しないようにすることができる。また、フィルタ１１５をケーシング１００から取り外すことなく水洗いすることができるため、フィルタ１１５の手入れを簡素化させることができる。
【００４５】
さらには、送風ファン１３１から送られた空気は、ダンパ１４０が閉じた状態においてより効率的にフィルタ１１５に吹き付けられるため、フィルタ１１５に付着した水をより効率的に除去することができる。これによれば、エネルギーロスを抑制することができるとともに、脱臭装置１１０のフィルタ１１５の自動清掃後に、脱臭装置１１０の吸引ファン１１３が水を吸引しないようにすることができる。
【００４６】
ここで、制御部１８０は、フィルタ１１５に付着した水を除去するために送風ファン１３１を駆動させるときには、ヒータ１３５を動作させてもよいし、ヒータ１３５を動作させなくともよい。つまり、フィルタ１１５に付着した水を除去するときには、局部乾燥装置１３０は、「温風」をフィルタ１１５に吹き付けてもよいし、「冷風」をフィルタ１１５に吹き付けてもよい。
【００４７】
局部乾燥装置１３０が「冷風」をフィルタ１１５に吹き付ける場合には、ヒータ１３５を動作させる必要はないため、省エネルギー化を図ることができるとともに、フィルタ１１５に付着した水を除去することができる。
【００４８】
一方、局部乾燥装置１３０が「温風」をフィルタ１１５に吹き付ける場合には、フィルタ１１５に付着した水をより短時間で除去することができる。そのため、フィルタ１１５に付着した水をより効率的に除去することができる。これによれば、エネルギーロスを抑制することができるとともに、脱臭装置１１０のフィルタ１１５の自動清掃後に、脱臭装置１１０の吸引ファン１１３が水を吸引しないようにすることができる。
【００４９】
また、本実施形態の制御部１８０は、フィルタ１１５に付着した水を除去するために送風ファン１３１を駆動させているときには、脱臭装置１１０の吸引ファン１１３の動作を禁止し、ボウル８０１内の臭気を吸引する動作を禁止することができる。ここで、フィルタ１１５に付着した水を除去しているときに、制御部１８０が脱臭装置１１０の吸引ファン１１３を駆動させると、送風ファン１３１からフィルタ１１５へ送られてきた空気の少なくとも一部が吸引ファン１１３へ吸い込まれる。そのため、フィルタ１１５に付着した水を除去する効率が低下するおそれがある。また、フィルタ１１５に付着した水を除去しているにもかかわらず、制御部１８０が脱臭装置１１０の吸引ファン１１３を駆動させると、その水が吸引ファン１１３に吸い込まれるおそれがある。
【００５０】
これに対して、本実施形態の制御部１８０は、フィルタ１１５に付着した水を除去するために送風ファン１３１を駆動させているときには、脱臭装置１１０の吸引ファン１１３の動作を禁止できるため、そのような課題を解決することができる。つまり、制御部１８０は、脱臭装置１１０の吸引ファン１１３の動作を禁止できるため、送風ファン１３１からフィルタ１１５へ送られてきた空気の少なくとも一部が吸引ファン１１３へ吸い込まれることはない。これにより、フィルタ１１５に付着した水を除去する効率が低下することを抑制することができ、その水をより効率的に除去することができる。また、フィルタ１１５に付着した水を除去しているにもかかわらず、その水が吸引ファン１１３に吸い込まれることを抑制することができる。
【００５１】
なお、図４および図５においては、水分除去装置が局部乾燥装置１３０である場合を例に挙げて説明したが、水分除去装置はこれだけに限定されるわけではない。本実施形態の水分除去装置は、図４および図５に表したように、フィルタ１１５の近傍に設けられたヒータ（加熱部）１６５であってもよい。そして、制御部１８０は、水供給部１２０から水を噴射させてフィルタ１１５を洗浄した後に、加熱部１６５の動作を開始させ、水が付着したフィルタ１１５を加熱することができる。
【００５２】
これにより、フィルタ１１５に付着した水をより短時間で除去することができる。そのため、フィルタ１１５に付着した水をより効率的に除去することができる。これによれば、エネルギーロスを抑制することができるとともに、脱臭装置１１０のフィルタ１１５の自動清掃後に、脱臭装置１１０の吸引ファン１１３が水を吸引しないようにすることができる。
【００５３】
次に、本実施形態の水供給部１２０について、図面を参照しつつ説明する。  
図６は、本実施形態の水供給部の水路系の一例を例示するブロック図である。  
本実施形態の水供給部１２０は、水道や貯水タンクなどの給水源に接続され空間１０１およびフィルタ１１５に至る流路を有する。また、ノズルユニット１５１を有する局部洗浄装置１５０がケーシング１００内に設けられている場合には、給水源からの水は、水供給部１２０から適宜分岐された流路内を導かれ、ノズルユニット１５１にも供給される。
【００５４】
流路の上流側には、まず止水栓１２２が設けられている。止水栓１２２は、手動による開閉が可能とされ、例えば、トイレ装置の取付・取り外しや保守点検の際などに水路（流路）を随時遮断することができる。なお、止水栓１２２は、ケーシング１００に設けてもよく、または、ケーシング１００とは別体の要素として水道などの給水源の供給口の側に設けてもよい。
【００５５】
止水栓１２２の下流には、ストレーナ１２３、調圧弁１２４、電磁弁１２５が設けられている。電磁弁１２５は、好ましくはノーマリクローズすなわち非通電時において閉状態となる電磁バルブであり、制御部１８０からの指令に基づいて水の供給を制御する。
【００５６】
電磁弁１２５の下流には、安全弁１２９が設けられている。安全弁１２９は、水路の圧力が上昇した時に開いて、水を便器８００のボウル８０１に排出する。
【００５７】
安全弁１２９の下流には、熱交換ユニット１２６が設けられている。熱交換ユニット１２６は、供給された水をヒータで加熱し、所定の温水にする。熱交換ユニット１２６の下流には、バキュームブレーカ１２７が設けられている。
【００５８】
バキュームブレーカ１２７の下流には、三方弁１２８が設けられている。三方弁１２８は、制御部１８０から動作を制御されることにより流路を切り替えることができる。より具体的には、制御部１８０は、三方弁１２８の動作を制御することにより、熱交換ユニット１２６から供給された水を、フィルタ１１５へ導水する配水管１２１に導いたり、ノズルユニット１５１へ導いたりすることができる。そして、三方弁１２８を介して配水管１２１に導かれた水は、脱臭装置１１０のフィルタ１１５に向けて噴射される。これは、前述した如くである。
【００５９】
一方、三方弁１２８からノズルユニット１５１へ向かう流路には、流量調整弁ユニット１５３が設けられている。流量調整弁ユニット１５３は、ノズルユニット１５１に設けられている図示しない吐水ノズルやノズル洗浄室への給水の開閉や切替及び水勢の調整をする。なお、流量調整弁ユニット１５３の下流側に、水に脈動を与える脈動ユニットなどが設けられていてもよい。これについては、後に詳述する。
【００６０】
次に、本実施形態にかかるトイレ装置の動作の具体例について、図面を参照しつつ説明する。  
図７は、本実施形態にかかるトイレ装置の動作の具体例を例示するタイミングチャートである。
【００６１】
まず、本実施形態のケーシング１００には、図１に表したように、使用者が便座に座ったことを検知する着座センサ１９１が設けられている。そして、使用者が用便を済ませて便座２００から離座することにより、着座センサ１９１が便座２００に着座した使用者を非検知とすると、制御部１８０は、電磁弁１２５および三方弁１２８を「ＯＮ」に設定する（タイミングｔ１）。
【００６２】
ここで、本願明細書において、制御部１８０が電磁弁１２５を「ＯＮ」に設定するとは、制御部１８０が電磁弁１２５の動作を制御し、その電磁弁１２５を開くことをいうものとする。また、本願明細書において、制御部１８０が三方弁１２８を「ＯＮ」に設定するとは、制御部１８０が三方弁１２８の動作を制御し、熱交換ユニット１２６から供給された水を配水管１２１に導くことをいうものとする。
【００６３】
続いて、制御部１８０が電磁弁１２５および三方弁１２８を「ＯＮ」に設定し、水供給部１２０から噴射された水によりフィルタ１１５を洗浄してから所定時間が経過すると、制御部１８０は、電磁弁１２５および三方弁１２８を「ＯＦＦ」に設定する（タイミングｔ２）。
【００６４】
ここで、本願明細書において、制御部１８０が電磁弁１２５を「ＯＦＦ」に設定するとは、制御部１８０が電磁弁１２５の動作を制御し、その電磁弁１２５を閉じることをいうものとする。また、本願明細書において、制御部１８０が三方弁１２８を「ＯＦＦ」に設定するとは、制御部１８０が三方弁１２８の動作を制御し、熱交換ユニット１２６から供給された水が配水管１２１に導かれないようにすることをいうものとする。
【００６５】
続いて、制御部１８０は、電磁弁１２５および三方弁１２８を「ＯＦＦ」に設定した後、局部乾燥装置１３０の送風ファン１３１を所定時間だけ駆動させる（タイミングｔ３〜ｔ４）。なお、この一連の工程においては、使用者が便座２００から離座した後には、制御部１８０は、脱臭装置１１０の吸引ファン１１３の動作を禁止し、その吸引ファン１１３を駆動させないようにしている。このように、制御部１８０は、送風ファン１３１を駆動させることにより、フィルタ１１５を乾燥させることができ、フィルタ１１５に付着した水を除去することができる。これによれば、フィルタ１１５に水を噴射することにより生ずる課題を解決することができ、脱臭装置１１０のフィルタ１１５の自動清掃後に、脱臭装置１１０の吸引ファン１１３が水を吸引しないようにすることができる。
【００６６】
このとき、制御部１８０は、モータ１４３の動作を制御することにより、ダンパ１４０を「ＯＦＦ」に設定、すなわちダンパ１４０を閉じ、開かないようにしている。これにより、図４および図５に関して前述したように、送風ファン１３１から送られた空気は、温風噴出口１０３を通してボウル８０１内に吹き出されることを抑制され、より効率的にフィルタ１１５に吹き付けられる。
【００６７】
また、制御部１８０は、送風ファン１３１を駆動させているときには（タイミングｔ３〜ｔ４）、ヒータ１３５を「ＯＦＦ」に設定、すなわちヒータ１３５を動作させていない。そのため、フィルタ１１５には「冷風」が吹き付けられる。これにより、図４および図５に関して前述したように、省エネルギー化を図ることができるとともに、フィルタ１１５に付着した水を除去することができる。
【００６８】
また、制御部１８０は、使用者が便座２００から離座した後に、すなわち、粉塵がフィルタ１１５に付着した直後に脱臭装置１１０のフィルタ１１５を自動清掃するので、フィルタ１１５に粉塵が堆積する前に粉塵を除去することができる。そのため、フィルタ１１５の目詰まりをより効率的に抑制することができる。
【００６９】
なお、本具体例では、使用者が便座２００から離座すると、制御部１８０は、電磁弁１２５および三方弁１２８を「ＯＮ」に設定する場合を例に挙げて説明したが、制御部１８０が電磁弁１２５および三方弁１２８を「ＯＮ」に設定するタイミング（ｔ１）は、これだけに限定されるわけではない。例えば、使用者が便座２００から離座し、制御部１８０が「オートパワー脱臭」を実行させた後に、制御部１８０は、電磁弁１２５および三方弁１２８を「ＯＮ」に設定してもよい。
【００７０】
ここで、本願明細書において、「オートパワー脱臭」とは、使用者が便座２００から離座した後に、制御部１８０が吸引ファン１１３の出力を上昇させることにより、空気の吸い込み量をより多くし、より強力に脱臭する機能をいうものとする。そして、制御部１８０が「オートパワー脱臭」を実行させた後に、電磁弁１２５および三方弁１２８を「ＯＮ」に設定することにより、送風ファン１３１からフィルタ１１５へ送られてきた空気が吸引ファン１１３へ吸い込まれることはない。これによれば、フィルタ１１５に付着した水をより効率的に除去することができるとともに、ボウル８０１内の臭気をより早く脱臭することができる。
【００７１】
あるいは、ケーシング１００や図示しないリモコンなどに設けられた図示しない「フィルタ清掃ボタン」が操作されると、制御部１８０は、電磁弁１２５および三方弁１２８を「ＯＮ」に設定してもよい。これによれば、使用者は、好みに応じたタイミングでフィルタ１１５を自動清掃することができる。
【００７２】
あるいは、便座２００の前方にいる使用者を検知する図示しない人体検知センサや、トイレ室への使用者の入室を検知する図示しない入室検知センサなどが、人体を検知しなくなった後に、制御部１８０は、電磁弁１２５および三方弁１２８を「ＯＮ」に設定してもよい。これによれば、使用者が便座２００から離座した後に再び着座した場合において、フィルタ１１５の洗浄が行われることを抑制することができる。つまり、制御部１８０は、使用者が便座２００に着座していないときに、フィルタ１１５の洗浄を実行することができる。
【００７３】
あるいは、タイマーにより適宜設定された時刻になると、制御部１８０は、電磁弁１２５および三方弁１２８を「ＯＮ」に設定してもよい。より具体的には、例えば、１週間に１回程度の頻度で所定時刻に、制御部１８０は、電磁弁１２５および三方弁１２８を「ＯＮ」に設定してもよい。これによれば、夜間や昼間においてトイレ装置が使用されていない時間帯を狙って、フィルタ１１５の洗浄を実行することができる。また、タイマーにより適宜設定された時刻になった場合でも、使用者がトイレ室内にいることを図示しない人体検知センサなどが検知したときには、そのセンサが人体を検知しなくなった後に、制御部１８０は、電磁弁１２５および三方弁１２８を「ＯＮ」に設定してもよい。これらによれば、使用者がトイレ室にいないときにフィルタ１１５の洗浄が行われるため、フィルタ１１５の洗浄が行われることや、送風ファン１３１が駆動することに対して、使用者が違和感や不快感を感ずることをより抑制することができる。なお、タイマーの時刻は、トイレ装置の製造時や出荷時に予め設定されていてもよいし、使用者により好みに応じて設定されてもよい。
【００７４】
あるいは、制御部１８０は、使用者によるトイレ装置の使用頻度を記憶し、その使用頻度が少ない時間帯を学習してもよい。これによれば、制御部１８０は、その使用者の使用頻度が少ない時間帯において、電磁弁１２５および三方弁１２８を「ＯＮ」に設定できる。これによれば、使用者によるトイレ装置の使用頻度が少ない時間帯を狙って、フィルタ１１５の洗浄を実行することができる。これによれば、タイマーの場合と同様の効果が得られる。
【００７５】
次に、本実施形態の変形例にかかるトイレ装置について、図面を参照しつつ説明する。  図８は、本実施形態の変形例にかかるトイレ装置が備える脱臭装置を表す斜視模式図である。  
なお、図８（ａ）は、脱臭風路を含めて表した脱臭装置であり、図８（ｂ）は、脱臭風路を省略して表した脱臭装置である。
【００７６】
本変形例の脱臭装置（水分除去装置）１１０ｃは、図２および図３に関して前述した脱臭装置１１０と同様に、ボウル８０１の内部と外部とを連通する脱臭風路１１１ｃと、ボウル８０１内の臭気を吸引する吸引ファン１１３ｃと、トイレットペーパーや衣類などに由来した粉塵が吸引ファン１１３ｃへ吸引されることを抑制するフィルタ１１５ｃと、吸引ファン１１３ｃにより吸引された空気から臭気成分を除去する脱臭触媒１１７ｃと、を有する。
【００７７】
吸引ファン１１３ｃは、脱臭風路１１１ｃの内部に設けられており、いわゆる「軸流ファン」である。そのため、吸引ファン１１３ｃは、図８（ｂ）に表した矢印Ａ３およびＡ４のように、フィルタ１１５ｃおよび脱臭触媒１１７ｃを介してボウル８０１内の空気を吸引したり、フィルタ１１５ｃおよび脱臭触媒１１７ｃを介してボウル８０１内に空気を送り出すことができる。より具体的には、吸引ファン１１３ｃは、ボウル８０１内を脱臭するときには図８（ｂ）に表した矢印Ａ３の方向に空気を吸引し、一方、フィルタ１１５ｃに付着した水を除去するときには図８（ｂ）に表した矢印Ａ４の方向に空気を送り出すことができる。
【００７８】
また、脱臭触媒１１７ｃは、吸引ファン１１３ｃよりも下流側ではなく、吸引ファン１１３ｃよりも上流側、すなわちフィルタ１１５ｃと吸引ファン１１３ｃとの間に設置されている。その他の構造は、図２および図３に関して前述した脱臭装置１１０およびトイレ装置の構造と同様である。
【００７９】
ここで、本変形例にかかるトイレ装置では、制御部１８０は、水供給部１２０から水を噴射させてフィルタ１１５ｃを洗浄した後に、脱臭動作時とは反対方向に吸引ファン１１３ｃを回転させる。すなわち、制御部１８０は、吸引ファン１１３ｃの動作を制御することにより、図８（ｂ）に表した矢印Ａ４の方向に空気を送り出す。そうすると、吸引ファン１１３ｃから送られた空気は、脱臭触媒１１７ｃを介してフィルタ１１５ｃに吹き付けられる。このように、制御部１８０は、脱臭動作時とは反対方向に吸引ファン１１３ｃを回転させることにより、フィルタ１１５ｃを乾燥させることができ、フィルタ１１５ｃに付着した水を除去することができる。これによれば、フィルタ１１５ｃに水を噴射することにより生ずる課題を解決することができ、脱臭装置１１０ｃのフィルタ１１５ｃの自動清掃後に、脱臭装置１１０ｃの吸引ファン１１３ｃが水を吸引しないようにすることができる。
【００８０】
また、本変形例にかかるトイレ装置は、脱臭動作時とは反対方向に吸引ファン１１３ｃを回転させることによりフィルタ１１５ｃに付着した水を除去することができるため、フィルタ１１５ｃを乾燥させる乾燥装置などの特別な装置を設ける必要はない。そのため、トイレ装置の構造や構成を簡略化させることができる。また、その他の効果についても、図４および図５に関して前述した効果と同様の効果が得られる。さらに、本変形例にかかるトイレ装置は、図７に表したタイミングｔ３〜ｔ４において、脱臭動作時とは反対方向に吸引ファン１１３ｃを回転させることにより、図７に関して前述した具体例の動作と同様の動作を行うことができる。そのため、図７に関して前述した具体例の効果と、同様の効果が得られる。
【００８１】
図９は、本実施形態の他の変形例にかかるトイレ装置を表す斜視模式図である。  
また、図１０は、本変形例にかかるトイレ装置を上方から眺めた平面模式図である。  
また、図１１は、本変形例の防振機構を表す断面模式図である。
【００８２】
本変形例にかかるトイレ装置は、図９および図１０に表したように、図２および図３に関して前述したトイレ装置に対して、温風ダクト１３３に付設された洗浄水脈動ユニット（水分除去装置：振動装置）１６０をさらに備える。また、脱臭装置１１０および局部乾燥装置１３０がユニット化されている。洗浄水脈動ユニット１６０は、図示しない可動部を内部に有し、その可動部は、制御部１８０からの制御信号により水の流れと平行方向に進退駆動することができる。これにより、洗浄水脈動ユニット１６０は、内部を流れる水に脈動を与えることができ、ノズルユニット１５１（図３参照）から吐水される水に脈動を与えることができる。
【００８３】
ここで、本変形例にかかるトイレ装置では、制御部１８０は、水供給部１２０から水を噴射させてフィルタ１１５を洗浄した後に、洗浄水脈動ユニット１６０を空運転させる。そうすると、洗浄水脈動ユニット１６０の可動部は、制御部１８０からの制御信号により進退駆動するとともに、その進退駆動によって脱臭装置１１０および局部乾燥装置１３０に振動を与えることができる。そして、この振動は、脱臭装置１１０のフィルタ１１５に伝えられる。そのため、制御部１８０は、洗浄水脈動ユニット１６０を空運転させることにより、脱臭装置１１０のフィルタ１１５に振動を与えることができる。
【００８４】
これによれば、フィルタ１１５に付着した水は、洗浄水脈動ユニット１６０から伝えられた振動によりボウル８０１内に振り落とされる。このようにして、制御部１８０は、洗浄水脈動ユニット１６０を空運転させることにより、フィルタ１１５に付着した水を除去することができる。これによれば、フィルタ１１５に水を噴射することにより生ずる課題を解決することができ、脱臭装置１１０のフィルタ１１５の自動清掃後に、脱臭装置１１０の吸引ファン１１３が水を吸引しないようにすることができる。
【００８５】
また、その他の効果についても、図４および図５に関して前述した効果と同様の効果が得られる。さらに、本変形例にかかるトイレ装置は、図７に表したタイミングｔ３〜ｔ４において、洗浄水脈動ユニット１６０を空運転させることにより、図７に関して前述した具体例の動作と同様の動作を行うことができる。そのため、図７に関して前述した具体例の効果と、同様の効果が得られる。
【００８６】
本具体例では、前述したように、洗浄水脈動ユニット１６０から脱臭装置１１０および局部乾燥装置１３０に振動が伝わる。そのため、脱臭装置１１０および局部乾燥装置１３０のケーシング１００への取り付け部分１３７ａ、１３７ｂ、１３７ｃにおいて、図１１に表したような防振機構が設けられることがより好ましい。
【００８７】
より具体的には、まず、ケーシング１００への取り付け部分１３７ａ、１３７ｂ、１３７ｃには、貫通孔１３３ａが形成されている。この貫通孔１３３ａには、ゴムなどの弾性体により形成された防振部材１７１が取り付けられている。さらに、この防振部材１７１には、図１１に表したように、ケーシング１００のボス１００ａを貫通可能な貫通孔が形成されている。そして、ケーシング１００のボス１００ａが防振部材１７１に貫通された状態で、ボス１００ａには座金１７３やねじ１７４などの締結部材が取り付けられている。これにより、ケーシング１００と、脱臭装置１１０および局部乾燥装置１３０と、は防振部材１７１を介して締結されている。
【００８８】
これによれば、洗浄水脈動ユニット１６０で発生した振動がケーシング１００に伝わることを抑制することができる。そのため、洗浄水脈動ユニット１６０から伝えられた振動でフィルタ１１５に付着した水を振り落とすことにより生ずる課題を解決することができ、脱臭装置１１０のフィルタ１１５の自動清掃後に、脱臭装置１１０の吸引ファン１１３が水を吸引しないようにすることができる。なお、その他の構造は、図２および図３に関して前述したトイレ装置と同様である。
【００８９】
以上説明したように、本実施形態によれば、制御部１８０は、水供給部１２０から水を噴射させてフィルタ１１５を洗浄した後に、局部乾燥装置（水分除去装置）１３０の送風ファン１３１を駆動させる。そうすると、送風ファン１３１から送られた空気は、温風ダクト１３３を通してフィルタ１１５に吹き付けられる。このようにして、制御部１８０は、送風ファン１３１を駆動させることにより、フィルタ１１５を乾燥させることができ、フィルタ１１５に付着した水を除去することができる。これによれば、フィルタ１１５に水を噴射することにより生ずる課題を解決することができ、脱臭装置１１０のフィルタ１１５の自動清掃後に、脱臭装置１１０の吸引ファン１１３が水を吸引しないようにすることができる。また、フィルタ１１５をケーシング１００から取り外すことなく水洗いすることができるため、フィルタ１１５の手入れを簡素化させることができる。
【００９０】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、脱臭装置１１０や水供給部１２０などが備える各要素の形状、寸法、材質、配置などや局部乾燥装置１３０や加熱部１６５などの水分除去装置の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００９１】
１００ ケーシング、  １００ａ ボス、  １０１ 空間、  １０３ 温風噴出口、  １０５ 吸引口、  １１０、１１０ｃ 脱臭装置、  １１１ａ、１１１ｂ、１１１ｃ 脱臭風路、  １１３、１１３ｃ 吸引ファン、  １１５、１１５ｃ フィルタ、  １１７、１１７ｃ 脱臭触媒、  １２０ 水供給部、  １２１ 配水管、  １２２ 止水栓、  １２３ ストレーナ、  １２４ 調圧弁、  １２５ 電磁弁、  １２６ 熱交換ユニット、  １２７ バキュームブレーカ、  １２８ 三方弁、  １２９ 安全弁、  １３０ 局部乾燥装置、  １３１ 送風ファン、  １３３ 温風ダクト、  １３３ａ 貫通孔、  １３５ ヒータ、  １３７ａ、１３７ｂ、１３７ｃ 取り付け部分、  １４０ ダンパ、  １４１ 軸、  １４３ モータ、  １５０ 局部洗浄装置、  １５１ ノズルユニット、  １５３ 流量調整弁ユニット、  １６０ 洗浄水脈動ユニット、  １６５ 加熱部、  １７１ 防振部材、  １７３ 座金、  １７４ ねじ、  １８０ 制御部、  １９１ 着座センサ、  ２００ 便座、  ３００ 便蓋、  ８００ 便器、  ８０１ ボウル
【図１】
2011006970.tif 000003
【図２】
2011006970.tif 000004
【図３】
2011006970.tif 000005
【図４】
2011006970.tif 000006
【図５】
2011006970.tif 000007
【図６】
2011006970.tif 000008
【図７】
2011006970.tif 000009
【図８】
2011006970.tif 000010
【図９】
2011006970.tif 000011
【図１０】
2011006970.tif 000012
【図１１】
2011006970.tif 000013